(57)【要約】【課題】縦横アスペクト比の異なる映像を、自然な形で表示することができる映像表示装置を提供する。【解決手段】  （ａ）に示すように、画像表示部材６が横に長いアスペクト比を有する状態にあるときは、ＡＶプレヤー１１に接続されたコネクタからの入力が有効となり、携帯電話１２に接続されたコネクタからの入力は無効とされる。よって、横に長いアスペクト比を有するＡＶプレヤー１１からの映像が入力され、表示部５に出力される。（ｂ）に示すように、画像表示部材６が縦に長いアスペクト比を有する状態にあるときは、携帯電話１２に接続されたコネクタからの入力が有効となり、ＡＶプレヤー１１に接続されたコネクタからの入力は無効とされる。よって、縦に長いアスペクト比を有する携帯電話１２からの映像が入力され、表示部５に出力される。【選択図】  図２
2008026681.tif 000002
【特許請求の範囲】
【請求項１】
頭部に装着して映像を眼球に投影することで表示する映像表示装置であって、当該映像表示装置は長方形の映像表示部材を持ち、前記映像表示部材が、縦に長く映像を表示する状態と横に長く映像を表示する状態とを切り替える縦横切り替え機能を有すると共に、第一の映像入力部と第二の映像入力部を持ち、前記映像表示部材は、縦に長く映像を表示する状態においては前記第一の映像入力部より入力された映像を表示し、横に長く映像を表示する状態においては前記第二の映像入力部より入力された映像を表示することを特徴とする映像表示装置。
【請求項２】
請求項１に記載の映像表示装置であって、前記第一の映像入力部は、有線もしくは無線により携帯電話に接続されるものであることを特徴とする映像表示装置。
【発明の詳細な説明】
【技術分野】
【０００１】
本発明は、映像表示装置に関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々提案され、ヘッドマウントディスプレイと呼ばれている。このようなヘッドマウントディスプレイの例は、例えばＷＯ２００４／０６１５１９Ａ１公報（特許文献１）に記載されている。
【０００３】
この映像表示装置は、多くの場合、頭に巻いた形で顔面に装着する構成とされ、両眼に対応する位置に映像表示系を形成した両眼タイプと左右眼の一方の眼に対応する位置に映像表示系を形成した片眼タイプとがある。このようなヘッドマウントディスプレイは、通常は、映像を表示する表示部と音声を出力するヘッドホーンとを有している。
【特許文献１】ＷＯ２００４／０６１５１９Ａ１公報
【発明の開示】
【発明が解決しようとする課題】
【０００４】
このようなヘッドマウントディスプレイのような映像表示装置に表示される映像のうち、ビデオや映画のように、通常表示される映像は横に長いアスペクトを持つ。一方携帯電話のように手に持って操作する表示装置は縦に長いアスペクトを持つ。このようにアスペクト比の異なる映像を表示する場合、例えば携帯電話の映像を横に長い表示装置に表示すると、全映像を表示するためには縮小して表示する必要があり、文字などが潰れて読みにくいという問題がある。
【０００５】
本発明はこのような事情に鑑みてなされたもので、縦横アスペクト比の異なる映像を、自然な形で表示することができる映像表示装置を提供することを課題とする。
【課題を解決するための手段】
【０００６】
前記課題を解決するための第１の手段は、頭部に装着して映像を眼球に投影することで表示する映像表示装置であって、当該映像表示装置は長方形の映像表示部材を持ち、前記映像表示部材が、縦に長く映像を表示する状態と横に長く映像を表示する状態とを切り替える縦横切り替え機能を有すると共に、第一の映像入力部と第二の映像入力部を持ち、前記映像表示部材は、縦に長く映像を表示する状態においては前記第一の映像入力部より入力された映像を表示し、横に長く映像を表示する状態においては前記第二の映像入力部より入力された映像を表示することを特徴とする映像表示装置である。
【０００７】
前記課題を解決するための第２の手段は、前記第１の手段であって、前記第一の映像入力部は、有線もしくは無線により携帯電話に接続されるものであることを特徴とするものである。
【発明の効果】
【０００８】
本発明によれば、縦横アスペクト比の異なる映像を、自然な形で表示することができる映像表示装置を提供することができる。
【発明を実施するための最良の形態】
【０００９】
以下、本発明の実施の形態の例を、図を用いて説明する。図１は、本発明の実施の形態の１例であるヘッドマウントディスプレイの概要を示す図である。図１（ａ）において、ヘッドマウントディスプレイ１においては、ヘッドホーン２が、連結部３により連結されており、連結部３は弾性を有している。装着時には、ヘッドホーン２により両耳を挟んで連結部３の弾性により押さえつける形で装着する。片側のヘッドホーン２には、支持アーム４が装着時の左右方向を回動軸として回動可能なように取り付けられており、その先端部には、使用者の眼に映像を表示する表示部５が取り付けられている。
【００１０】
図１（ｂ）に、表示部５の概要を示す。表示部５中には、ＬＣＤ等の画像表示部材６が設けられ、これにより形成された画像が、ミラー７で反射され、レンズ８を通して使用者の眼に投影される。画像表示部材６は、回転軸９に支えられており、ダイアル１０を回転させることにより、回転軸９を中心に回転し、表示部５中での縦横が変わるようになっている。よって、図１（ｂ）に示す状態が、画像表示部材６が横に長いアスペクト比を持つ状態であるとすると、画像表示部材６を９０°回転させることにより、画像表示部材６が縦に長いアスペクト比を持つ状態とすることができる。
【００１１】
図２は、このようなヘッドマウントディスプレイに、外部機器を接続した状態を示す図である。図２に示すように、映像入力部であるコネクタ（図示せず）には、外部機器であるＡＶプレヤー１１と携帯電話１２が接続されるようになっている。
【００１２】
図２（ａ）に示すように、画像表示部材６が横に長いアスペクト比を有する状態にあるときは、ＡＶプレヤー１１に接続されたコネクタからの入力が有効となり、携帯電話１２に接続されたコネクタからの入力は無効とされる。よって、横に長いアスペクト比を有するＡＶプレヤー１１からの映像が入力され、表示部５に出力される。
【００１３】
図２（ｂ）に示すように、画像表示部材６が縦に長いアスペクト比を有する状態にあるときは、携帯電話１２に接続されたコネクタからの入力が有効となり、ＡＶプレヤー１１に接続されたコネクタからの入力は無効とされる。よって、縦に長いアスペクト比を有する携帯電話１２からの映像が入力され、表示部５に出力される。
【００１４】
このようにして、画像表示部材６は、入力される画像のアスペクト比に合ったアスペクト比を有するようになるので、画像表示部材６の画面を有効に使うことができ、有効画面の大きさを大きくすることができる。
【００１５】
なお、以上の実施の形態では、映像入力部としてコネクタを使用していたが、外部機器とのやりとりを無線で行う場合は、無線入力部が映像入力部となる。又、ＡＶプレヤー１１を外部機器とせず、ヘッドマウントディスプレイ１に内蔵する場合は、特別な接続部は必要とせず、内蔵されたＡＶプレヤー１１との信号線のつなぎ目を映像入力部とみなすことができる。
【図面の簡単な説明】
【００１６】
【図１】本発明の実施の形態の１例であるヘッドマウントディスプレイの概要を示す図である。
【図２】ヘッドマウントディスプレイに、外部機器を接続した状態を示す図である。
【符号の説明】
【００１７】
１…ヘッドマウントディスプレイ、２…ヘッドホーン、３…連結部、４…支持アーム、５…表示部、６…画像表示部材、７…ミラー、８…レンズ、９…回転軸、１０…ダイアル、
１１…ＡＶプレヤー、１２…携帯電話
【図１】
2008026681.tif 000003
【図２】
2008026681.tif 000004